(57)【特許請求の範囲】
【請求項１】
ユーザに対して実施するアンケートに含まれる一又は一群の設問を選択する選択手段と、
前記ユーザの前記設問に関連する一又は二以上の商品若しくはサービスの購買履歴に基づいて、前記設問に回答することによって前記ユーザに付与される特典を決定する決定手段と、
ユーザが操作するユーザ端末に、前記選択手段が選択した設問と前記決定手段が決定した特典に関する情報を、前記ユーザ端末に出力させるために送信する送信手段と、
前記設問と前記特典に関する情報が出力された前記ユーザ端末から、前記設問に対する回答を受信すると、前記特典を前記ユーザに付与する処理を実行する実行手段と、
を備えることを特徴とするアンケート管理サーバ。
【請求項２】
前記決定手段は、前記ユーザの前記設問に関連する一又は二以上の商品若しくはサービスの購買履歴と、前記ユーザの前記設問に関連する他の設問に対する回答、又は前記ユーザの属性に関する情報の少なくともいずれかを含む他の情報に基づいて、前記ユーザに付与される特典を決定すること
を特徴とする請求項１記載のアンケート管理サーバ。
【請求項３】
ユーザに対して実施するアンケートに含まれる一又は一群の設問を選択する選択手段と、
前記ユーザの前記設問に関連する一又は二以上の他の設問に対する回答に基づいて、前記設問に回答することによって前記ユーザに付与される特典を決定する決定手段と、
ユーザが操作するユーザ端末に、前記選択手段が選択した設問と前記決定手段が決定した特典に関する情報を、前記ユーザ端末に出力させるために送信する送信手段と、
前記設問と前記特典に関する情報が出力された前記ユーザ端末から、前記設問に対する回答を受信すると、前記特典を前記ユーザに付与する処理を実行する実行手段と、
を備えることを特徴とするアンケート管理サーバ。
【請求項４】
前記決定手段は、前記ユーザの前記設問に関連する一又は二以上の他の設問に対する回答と、前記ユーザの属性に関する情報を含む他の情報に基づいて、前記ユーザに付与される特典を決定すること
を特徴とする請求項３記載のアンケート管理サーバ。
【請求項５】
ユーザに対して実施するアンケートに含まれる一又は一群の設問を選択する選択手段と、
前記ユーザの属性に関する一又は二以上の情報に基づいて、前記設問に回答することによって前記ユーザに付与される特典を決定する決定手段と、
ユーザが操作するユーザ端末に、前記選択手段が選択した設問と前記決定手段が決定した特典に関する情報を、前記ユーザ端末に出力させるために送信する送信手段と、
前記設問と前記特典に関する情報が出力された前記ユーザ端末から、前記設問に対する回答を受信すると、前記特典を前記ユーザに付与する処理を実行する実行手段と、
を備えることを特徴とするアンケート管理サーバ。
【請求項６】
前記実行手段は、前記ユーザ端末から受信した回答に基づいて前記ユーザに付与される第二の特典を決定し、前記決定手段が決定した特典に前記第二の特典を加えた特典を前記ユーザに付与する処理を実行すること
を特徴とする請求項１乃至５いずれかに記載のアンケート管理サーバ。
【請求項７】
ユーザが操作するユーザ端末とネットワークを介して接続されたアンケート管理サーバが、ユーザに対して実施するアンケートに含まれる一又は一群の設問を選択する選択ステップと、
前記アンケート管理サーバが、前記ユーザの前記設問に関連する一又は二以上の商品若しくはサービスの購買履歴に基づいて、前記設問に回答することによって前記ユーザに付与される特典を決定する決定ステップと、
前記アンケート管理サーバが、ユーザが操作するユーザ端末に、前記選択ステップで選択された設問と前記決定ステップで決定された特典に関する情報を、前記ユーザ端末に出力させるために送信する送信ステップと、
前記アンケート管理サーバが、前記設問と前記特典に関する情報が出力された前記ユーザ端末から、前記設問に対する回答を受信すると、前記特典を前記ユーザに付与する処理を実行する実行ステップと、
を有することを特徴とするアンケートの管理方法。
【請求項８】
ユーザが操作するユーザ端末とネットワークを介して接続されたアンケート管理サーバが、ユーザに対して実施するアンケートに含まれる一又は一群の設問を選択する選択ステップと、
前記アンケート管理サーバが、前記ユーザの前記設問に関連する一又は二以上の他の設問に対する回答に基づいて、前記設問に回答することによって前記ユーザに付与される特典を決定する決定ステップと、
前記アンケート管理サーバが、ユーザが操作するユーザ端末に、前記選択ステップで選択された設問と前記決定ステップで決定された特典に関する情報を、前記ユーザ端末に出力させるために送信する送信ステップと、
前記アンケート管理サーバが、前記設問と前記特典に関する情報が出力された前記ユーザ端末から、前記設問に対する回答を受信すると、前記特典を前記ユーザに付与する処理を実行する実行ステップと、
を有することを特徴とするアンケートの管理方法。
【請求項９】
ユーザが操作するユーザ端末とネットワークを介して接続されたアンケート管理サーバが、ユーザに対して実施するアンケートに含まれる一又は一群の設問を選択する選択ステップと、
前記アンケート管理サーバが、前記ユーザの属性に関する一又は二以上の情報に基づいて、前記設問に回答することによって前記ユーザに付与される特典を決定する決定ステップと、
前記アンケート管理サーバが、ユーザが操作するユーザ端末に、前記選択ステップで選択された設問と前記決定ステップで決定された特典に関する情報を、前記ユーザ端末に出力させるために送信する送信ステップと、
前記アンケート管理サーバが、前記設問と前記特典に関する情報が出力された前記ユーザ端末から、前記設問に対する回答を受信すると、前記特典を前記ユーザに付与する処理を実行する実行ステップと、
を有することを特徴とするアンケートの管理方法。
【発明の詳細な説明】
【技術分野】
【０００１】
本発明は、ターゲットとなるユーザによるアンケートへの回答を促進し、アンケートによって有益な情報を効率的に収集するのに好適な、アンケート管理サーバ及びアンケートの管理方法に関するものである。
【背景技術】
【０００２】
企業等が提供する商品やサービスに関するユーザのニーズや感想等を把握するための手段として、ユーザに対するアンケートが広く実施されているが、その際に問題となるのが、ユーザが面倒に感じてアンケートになかなか回答してくれないことである。
【０００３】
こうした課題に対して、ユーザにアンケートへの回答を促すための手段として、アンケートに回答したユーザに対して、商品の購入代金等に充当できるポイントを付与するシステムに関する発明（例えば、特許文献１及び２参照）や、代金の精算時に商品の割引処理を行うシステムに関する発明（例えば、特許文献３参照）が開示されている。
【先行技術文献】
【特許文献】
【０００４】
【特許文献１】特開２００２−１８９８３６号公報
【特許文献２】特開２００３−２１６７９７号公報
【特許文献３】特開２００３−１９６４５６号公報
【発明の概要】
【発明が解決しようとする課題】
【０００５】
このようにポイントや商品の割引等の特典を付与することによって、ユーザにアンケートへの回答を促すことができるが、これらの発明を実施する際に問題となるのが、ポイントを獲得することだけを目的に、対象となる商品の購買層とは異なるユーザが適当な回答を返してきて、回答の信頼性が低下してしまうリスクがあることである。
【０００６】
商品の値引きによれば、こうした信頼性に関する問題は解消しやすくなるものの、アンケートに回答できるのが商品の購入時に限られるため、商品は購入していないものの潜在的なニーズのあるユーザから回答を得ることができず、回答者が制限されてしまうという新たな問題が生じることとなる。
【０００７】
本発明は、このような課題に対応するためになされたものであり、ターゲットとなるユーザによるアンケートへの回答を促進し、アンケートによって有益な情報を効率的に収集するのに好適な、アンケート管理サーバ及びアンケートの管理方法を提供することを目的とするものである。
【課題を解決するための手段】
【０００８】
本発明では、アンケートの設問への回答に対して一律に同じポイント等の特典を付与するのではなく、設問に回答するユーザの対象となる商品等の購買履歴、他の設問への回答内容等に応じて、設問に回答することによって付与されるポイント等の特典を決定し、決定された特典に関する情報を設問と合わせてユーザに送信する仕組みを採用した。アンケートのターゲットとなるユーザには有利な特典を付与することとして、その情報を設問への回答前にユーザに提供することによって、ターゲットとなるユーザに対してアンケートへの回答を促すことが可能な構成が実現される。
【０００９】
本発明に係る課題を解決する第１の発明は、ユーザに対して実施するアンケートに含まれる一又は一群の設問を選択する選択手段と、前記ユーザの前記設問に関連する一又は二以上の商品若しくはサービスの購買履歴に基づいて、前記設問に回答することによって前記ユーザに付与される特典を決定する決定手段と、ユーザが操作するユーザ端末に、前記選択手段が選択した設問と前記決定手段が決定した特典に関する情報を、前記ユーザ端末に出力させるために送信する送信手段と、前記設問と前記特典に関する情報が出力された前記ユーザ端末から、前記設問に対する回答を受信すると、前記特典を前記ユーザに付与する処理を実行する実行手段と、を備えることを特徴とするアンケート管理サーバである。
【００１０】
第１の発明において、前記決定手段は、前記ユーザの前記設問に関連する一又は二以上の商品若しくはサービスの購買履歴と、前記ユーザの前記設問に関連する他の設問に対する回答、又は前記ユーザの属性に関する情報の少なくともいずれかを含む他の情報に基づいて、前記ユーザに付与される特典を決定することを特徴とすることもできる。
【００１１】
本発明に係る課題を解決する第２の発明は、ユーザに対して実施するアンケートに含まれる一又は一群の設問を選択する選択手段と、前記ユーザの前記設問に関連する一又は二以上の他の設問に対する回答に基づいて、前記設問に回答することによって前記ユーザに付与される特典を決定する決定手段と、ユーザが操作するユーザ端末に、前記選択手段が選択した設問と前記決定手段が決定した特典に関する情報を、前記ユーザ端末に出力させるために送信する送信手段と、前記設問と前記特典に関する情報が出力された前記ユーザ端末から、前記設問に対する回答を受信すると、前記特典を前記ユーザに付与する処理を実行する実行手段と、を備えることを特徴とするアンケート管理サーバである。
【００１２】
第２の発明において、前記決定手段は、前記ユーザの前記設問に関連する一又は二以上の他の設問に対する回答と、前記ユーザの属性に関する情報を含む他の情報に基づいて、前記ユーザに付与される特典を決定することを特徴とすることもできる。
【００１３】
本発明に係る課題を解決する第３の発明は、ユーザに対して実施するアンケートに含まれる一又は一群の設問を選択する選択手段と、前記ユーザの属性に関する一又は二以上の情報に基づいて、前記設問に回答することによって前記ユーザに付与される特典を決定する決定手段と、ユーザが操作するユーザ端末に、前記選択手段が選択した設問と前記決定手段が決定した特典に関する情報を、前記ユーザ端末に出力させるために送信する送信手段と、前記設問と前記特典に関する情報が出力された前記ユーザ端末から、前記設問に対する回答を受信すると、前記特典を前記ユーザに付与する処理を実行する実行手段と、を備えることを特徴とするアンケート管理サーバである。
【００１４】
本発明（第１−３の発明）では、前記送信手段が前記ユーザ端末に送信する前記設問と前記特典に関する情報は、前記ユーザ端末において文字、画像（動画を含む）又は音声で出力されることを特徴とすることもできる。
【００１５】
このように、第１の発明ではユーザのアンケートに含まれる設問に関連する商品等の購買履歴、第２の発明ではアンケートに含まれる他の設問に対する回答、第３の発明ではユーザの属性に関する情報に基づいて、アンケートに含まれる設問に回答することによってユーザに付与される特典を決定し、回答によって付与される特典に関する情報を設問への回答前に提供する構成とすることによって、特定のターゲットに絞り込んで有利な特典を付与し、アンケートへの回答を促すことを可能にしているが、さらにこれらの情報の組合せに応じて特典を決定することによって、ターゲットをより細かく絞り込んで回答を促すことも可能になる。
【００１６】
尚、本発明において、ユーザに付与される特典の内容は特に限定されるものではないが、例えば、商品やサービスの購入代金に充当することが可能なポイントや、商品やサービスの代金精算時に利用できる値引きクーポン等を対象とすることができる。
【００１７】
また、本発明は、前記実行手段は、前記ユーザ端末から受信した回答に基づいて前記ユーザに付与される第二の特典を決定し、前記決定手段が決定した特典に前記第二の特典を加えた特典を前記ユーザに付与する処理を実行することを特徴とすることもできる。
【００１８】
このように構成すると、設問への回答内容に応じて特定のユーザにより有利な特典を付与することが可能になるので、例えば、対象となる商品等を購入する可能性が高いユーザに対しては商品の購入代金に充当できるポイント等の特典を加算することによって、対象となる商品等の購入を促すことが可能になる。
【００１９】
また、本発明は、本発明に係るアンケート管理サーバによって実行される、アンケートの管理方法として特定することもできる。
【００２０】
第１の発明に対応するアンケートの管理方法は、ユーザが操作するユーザ端末とネットワークを介して接続されたアンケート管理サーバが、ユーザに対して実施するアンケートに含まれる一又は一群の設問を選択する選択ステップと、前記アンケート管理サーバが、前記ユーザの前記設問に関連する一又は二以上の商品若しくはサービスの購買履歴に基づいて、前記設問に回答することによって前記ユーザに付与される特典を決定する決定ステップと、前記アンケート管理サーバが、ユーザが操作するユーザ端末に、前記選択ステップで選択された設問と前記決定ステップで決定された特典に関する情報を、前記ユーザ端末に出力させるために送信する送信ステップと、前記アンケート管理サーバが、前記設問と前記特典に関する情報が出力された前記ユーザ端末から、前記設問に対する回答を受信すると、前記特典を前記ユーザに付与する処理を実行する実行ステップと、を有することを特徴とするアンケートの管理方法である。
【００２１】
第１の発明に対応するアンケートの管理方法は、前記決定ステップにおいて、前記アンケート管理サーバは、前記ユーザの前記設問に関連する一又は二以上の商品若しくはサービスの購買履歴と、前記ユーザの前記設問に関連する他の設問に対する回答、又は前記ユーザの属性に関する情報の少なくともいずれかを含む他の情報に基づいて、前記ユーザに付与される特典を決定することを特徴とすることもできる。
【００２２】
第２の発明に対応するアンケートの管理方法は、ユーザが操作するユーザ端末とネットワークを介して接続されたアンケート管理サーバが、ユーザに対して実施するアンケートに含まれる一又は一群の設問を選択する選択ステップと、前記アンケート管理サーバが、前記ユーザの前記設問に関連する一又は二以上の他の設問に対する回答に基づいて、前記設問に回答することによって前記ユーザに付与される特典を決定する決定ステップと、前記アンケート管理サーバが、ユーザが操作するユーザ端末に、前記選択ステップで選択された設問と前記決定ステップで決定された特典に関する情報を、前記ユーザ端末に出力させるために送信する送信ステップと、前記アンケート管理サーバが、前記設問と前記特典に関する情報が出力された前記ユーザ端末から、前記設問に対する回答を受信すると、前記特典を前記ユーザに付与する処理を実行する実行ステップと、を有することを特徴とするアンケートの管理方法である。
【００２３】
第２の発明に対応するアンケートの管理方法は、前記決定ステップにおいて、前記アンケート管理サーバは、前記ユーザの前記設問に関連する一又は二以上の他の設問に対する回答と、前記ユーザの属性に関する情報を含む他の情報に基づいて、前記ユーザに付与される特典を決定することを特徴とすることもできる。
【００２４】
第３の発明に対応するアンケートの管理方法は、ユーザが操作するユーザ端末とネットワークを介して接続されたアンケート管理サーバが、ユーザに対して実施するアンケートに含まれる一又は一群の設問を選択する選択ステップと、前記アンケート管理サーバが、前記ユーザの属性に関する一又は二以上の情報に基づいて、前記設問に回答することによって前記ユーザに付与される特典を決定する決定ステップと、前記アンケート管理サーバが、ユーザが操作するユーザ端末に、前記選択ステップで選択された設問と前記決定ステップで決定された特典に関する情報を、前記ユーザ端末に出力させるために送信する送信ステップと、前記アンケート管理サーバが、前記設問と前記特典に関する情報が出力された前記ユーザ端末から、前記設問に対する回答を受信すると、前記特典を前記ユーザに付与する処理を実行する実行ステップと、を有することを特徴とするアンケートの管理方法である。
【発明の効果】
【００２５】
本発明によると、企業等がユーザに対してアンケートを実施する際に、ターゲットとなるユーザに対して有利な特典を付与し、その特典に関する情報を設問への回答前にユーザに送信することによって、アンケートへの回答を促すことができるので、有益な情報収集に適したアンケートを効率的に実施することが可能になる。アンケートを実施する企業等にとっては、有益な情報を効率的に収集できることに加えて、ユーザにもポイント等の特典が付与されるので、両者にメリットのある仕組みを構築できる。
【図面の簡単な説明】
【００２６】
【図１】本発明に係るアンケート管理サーバの実施形態の概要を示す図である。
【図２】本発明に係るアンケート管理サーバの構成を示すブロック図である。
【図３】本発明に係るアンケート管理サーバに格納されるデータの一例を示す第１の図である。
【図４】本発明に係るアンケート管理サーバに格納されるデータの一例を示す第２の図である。
【図５】本発明に係るアンケート管理サーバによる特典（ポイント）付与の流れを示す第１のフローチャートである。
【図６】本発明に係るアンケート管理サーバによる特典（ポイント）付与の流れを示す第２のフローチャートである。
【図７】本発明に係るアンケート管理サーバによって、アンケートの設問と設問に回答することによって付与される特典（ポイント）に関する情報を表示する、ユーザ端末の表示画面の例を示す図である。
【図８】本発明に係るアンケート管理サーバによって、アンケートの設問への回答によって付与された特典（ポイント）に関する情報を表示する、ユーザ端末の表示画面の例を示す図である。
【図９】本発明においてユーザの獲得可能ポイントの演算に用いられるポイント条件の第１の例を示す図である。
【図１０】本発明においてユーザの獲得可能ポイントの演算に用いられるポイント条件の第２の例を示す図である。
【図１１】本発明においてユーザの獲得可能ポイントの演算に用いられるポイント条件の第３の例を示す図である。
【図１２】本発明においてユーザの獲得可能ポイントの演算に用いられるポイント条件の第４の例を示す図である。
【発明を実施するための形態】
【００２７】
本発明を実施するための形態について、図面を用いて以下に詳細に説明する。尚、以下の説明は本発明の実施形態の一例を示したものであって、ユーザに付与される特典の種類、アンケートの対象となる商品やサービス、設問の内容等は、ここに示した実施形態の例に限定されるものではない。
【００２８】
図１は、本発明に係るアンケート管理サーバの実施形態の概要を示している。図１において、インターネットを介してユーザ端末からアクセス可能なアンケート管理サーバが、本発明に係るアンケート管理サーバに対応する。
【００２９】
ユーザがスマートフォン等のユーザ端末からアンケート管理サーバにアクセスしてアンケートへの回答を開始すると、アンケートに含まれる複数の設問の中から、ユーザに提示する一の設問が選択される。同じ条件に基づくポイントの付与対象となる設問が複数ある場合は、それらを一群の設問として選択するものであってもよい。アンケート管理サーバでは、設問の対象となる商品やサービスに関するユーザの購買履歴や、データベースに登録されているユーザの年齢や性別等の属性、ユーザが過去に回答したアンケートの他の設問への回答の少なくともいずれかを参照し、これらの中の一つの情報、あるいは複数の情報の組合せに基づいて、選択された設問に回答することによってユーザに付与される特典である、商品の購入代金等に充当できるポイントの数量（ポイント数）を決定する。
【００３０】
このようにして設問への回答によってユーザに付与されるポイント数が決定されると、選択された設問と合わせて、当該ポイント数に関する情報がユーザ端末に送信されて、設問の内容と合わせてユーザ端末の画面に表示される（先に一群の設問を選択した場合は、一群の設問がまとめてユーザ端末に送信され、まとめてユーザ端末の画面に表示される）。設問等が表示される画面を見たユーザは、設問に回答することによって獲得できるポイント数を回答前に知ることができるので、設問への回答が促されることになるが、設問の内容に応じて回答を促したいユーザにより多くのポイント数が決定さるルールを設定することによって、アンケートを実施する商品の提供者等は、ターゲットとなるユーザからの回答を得やすくなり、マーケティング等において利用価値の高い情報を収集することが可能になる。
【００３１】
例えば、設問の対象となる商品やサービスについて購買実績があるユーザ、設問の対象となる商品等の主な購買層となる属性に該当するユーザ、設問の対象となる商品等に関連する他の設問に対して過去に当該商品等に対する関心が高い可能性を示す回答を選択したユーザ等に対して、より多くのポイント（有利な特典）を付与することにすれば、ポイントの付与がインセンティブとなって、設問の対象となる商品等との関連性が強いターゲットとなるユーザからの回答を得やすくすることができる。
【００３２】
ユーザが設問に回答するとアンケート管理サーバに回答が送信され、アンケート管理サーバで回答が受け付けられると、データベースに記録されているユーザが保有するポイントの残高が、先に決定された新たに付与されるポイントを加算して更新される。ユーザが送信した回答に関する情報は、他の設問への回答に対して付与されるポイント数の決定等に用いるために、アンケート管理サーバのデータベースに保存される。
【００３３】
尚、ユーザの商品等の購買履歴に関する情報には、例えば、ＰＯＳシステム等によって収集された商品等の販売情報を用いることとすればよい。アンケート管理サーバによって付与されたポイントを含むユーザが保有するポイントの残高は、例えば、顧客情報を管理するサーバによって管理されて、オンラインショップや店舗での商品等の購入時の代金に充当される。
【００３４】
図２は、本発明に係るアンケート管理サーバの構成を、機能ブロックで示した図である。図２において、アンケート管理サーバ１０が本発明に係るアンケート管理サーバに対応する。
【００３５】
アンケート管理サーバ１０は、インターネットに接続されたサーバコンピュータで、ＣＰＵ、メインメモリ、ＨＤＤ等の補助記憶装置が備えられている。アンケート管理サーバ１０では、補助記憶装置に格納されたプログラムがメインメモリに読み出され、ＣＰＵで演算処理を実行することによって所定の機能が実現される。
【００３６】
アンケート管理サーバ１０を構成するコンピュータの物理的な構成は特に限定されるものではなく、本発明におけるアンケートの実施やアンケートへの回答に対するポイント付与以外の機能が、同一のコンピュータに備えられるものであってもよい。また、本発明に必要な各々の機能は、物理的に一台のコンピュータによって実現されるものであってもよいし、複数のコンピュータが連携して実現されるものであってもよい。
【００３７】
アンケート管理サーバ１０のユーザ認証部１０１、設問選択部１０２、獲得可能ポイント演算部１０３、設問送信部１０４、回答受信部１０５、回答ポイント決定部１０６、ポイント残高更新部１０７、ポイント残高送信部１０８は、いずれも機能的に特定されるものであって、ＨＤＤ等の補助記憶装置に格納された各部の機能に対応するプログラムがメインメモリに読み出され、ＣＰＵで演算処理を実行することによって、各部に対応する機能が実現される。
【００３８】
アンケート管理サーバ１０のユーザ情報格納部１１１（認証情報１１１１、属性情報１１１２、ポイント残高１１１３等が格納されている）、アンケート情報格納部１１２（設問情報１１２１、回答情報１１２２等が格納されている）、ポイント条件格納部１１３、購買履歴格納部１１４には、ＨＤＤ等の補助記憶装置の所定の記憶領域が割り当てられる。これらの記憶領域は物理的に一台のコンピュータに設けられることを必須の要件とするものではなく、データベースサーバを構成するコンピュータ等の複数のコンピュータに分散して設けられるものであってもよい。
【００３９】
ユーザ情報格納部１１１には、ユーザを識別するユーザＩＤ等と関連づけて、各々のユーザの認証に用いられるパスワード等の認証情報１１１１や、各々のユーザの性別や年齢等の属性情報１１１２、各々のユーザが保有するポイント残高１１１３等が格納されている。アンケート情報格納部１１２には、ユーザを識別するユーザＩＤ等と関連づけて、各々のユーザがアンケートの設問情報１１２１の設問に対して回答した回答情報１１２２が格納されている。ポイント条件格納部１１３には、各々の設問への回答に対して特典であるポイントが付与される条件や、ユーザが選択した回答に応じて付与されるポイント等の条件に関する情報が格納されている。購買履歴格納部１１４には、ユーザを識別するユーザＩＤ等と関連づけて、各々のユーザの商品等の購買履歴が格納されている。
【００４０】
ユーザ端末２０は、インターネットに接続してアンケート管理サーバ１０とのデータの送受信が可能なネットワーク端末であるが、その構成は特に限定されるものではなく、スマートフォンやタブレット型コンピュータ、ＰＣ（パーソナルコンピュータ）等のネットワーク端末を用いることとすればよい。
【００４１】
図３と図４は、ユーザ情報格納部１１１、アンケート情報格納部１１２、ポイント条件格納部１１３、購買履歴格納部１１４に格納されるデータの一例を示している。図３と図４の「アンケート設問」は、ユーザに提示されるアンケートの設問であるが、こうした設問とその回答となる選択肢等に関する情報が、設問を識別する設問ＩＤ毎に、アンケート情報格納部１１２に設問情報１１２１として格納されている。
【００４２】
図３と図４の「ポイント条件」は、設問に回答したユーザに付与されるポイントに関する条件であり、設問ＩＤによって識別される設問に対してどのような条件を満たすユーザが回答するとポイントが付与されるか等のポイント付与の条件が、ポイント条件格納部１１３に格納されている。図３に示した「ポイント条件」は、どのような条件を満たすユーザが設問に回答するとポイントが付与されるかという、設問に回答することに対して付与されるポイントに関する条件の例であり、「ユーザ情報（属性）」「アンケート回答（設問回答）」「購買履歴（購買）」のいずれかの情報又はそれらの組合せによって、設問に回答することによってユーザが獲得可能なポイント数が決定される。図４に示した「ポイント条件」は、ユーザが選択した回答に応じて付与されるポイントに関する条件の例であり、「アンケート回答」に記録されている各々のユーザが選択した回答に応じて、ユーザに付与されるポイント数が決定される。
【００４３】
図３の「ユーザ情報」には、性別や年齢等のユーザの属性に関する情報と、ユーザが保有するポイントの残高に関する情報が含まれているが、こうしたユーザに関する情報が、ユーザを識別するユーザＩＤ毎に、ユーザ情報格納部１１１に属性情報１１１２及びポイント情報１１１３として格納されている。
【００４４】
図３と図４の「アンケート回答」は、アンケートの設問に対してユーザが過去に選択した回答であるが、こうしたユーザが過去に選択した回答に関する情報が、設問を識別する設問ＩＤ毎に、アンケート情報格納部１１２に回答情報１１２２として格納されている。
【００４５】
図３の「購買履歴」は、ユーザが過去に購入した商品等の購買履歴であるが、こうしたユーザの過去の購買履歴に関する情報が、ユーザを識別するユーザＩＤと購入した商品等を関連付けて、購買履歴格納部１１４に格納されている。
【００４６】
以上に説明した構成を前提にして、本発明に係るアンケート管理サーバによって、アンケートの設問に回答したユーザに特典（ポイント）を付与する流れについて、図５と図６のフローチャートに沿って説明する。まず、図５のフローチャートに示した処理フローは、以下のとおりである。
【００４７】
本発明において、ユーザ端末２０を用いてアンケートに回答するユーザは、アンケートへの回答によって商品の購入代金等に充当できるポイントの付与を受けるので、何らかのサービスにユーザ登録をしていることが前提になる。そのため、ユーザがユーザ端末２０からアンケート管理サーバ１０にアクセスしてアンケートへの回答を始める前には、アンケート管理サーバ１０ではユーザ認証部１１が起動されて、ユーザの認証処理が行われる（Ｓ０１）。
【００４８】
具体的には、ユーザ端末２０からユーザＩＤとパスワード等のユーザ認証に必要な情報をアンケート管理サーバ１０に送信すると、これらを受信したユーザ認証部１１でユーザ情報格納部１１１にあらかじめ登録されている認証情報１１１１と照合して、両者が一致することが確認されると、ユーザＩＤ等によってユーザが特定されるとともに、ユーザ本人によるアクセスであることが認証される。
【００４９】
次に、設問選択部１２が起動されて、アンケート情報格納部１１２に格納された設問情報１１２１の中から、ユーザに提示する一の設問を選択する（Ｓ０２）。ここで一の設問を選択する方法は特に限定されるものではなく、例えば、ユーザ情報格納部１１１に格納された先に認証されたユーザの属性情報１１１２に応じて選択する、購買履歴格納部１１４に格納された先に認証されたユーザの購買履歴から把握されるユーザの購買傾向に応じて選択する等、何らかのルールに基づいて決定されるものであってもよいし、ユーザが未回答の設問からランダムに選択する、あるいは、所定の順序に従ってユーザが未回答の設問から順に選択するといった方法によることとしてもよい。選択された設問（設問の本文と回答の選択肢等）は、アンケート情報格納部１１２から読み出される（Ｓ０３）。尚、同じ条件に基づくポイントの付与対象となる設問が複数ある場合は、それらを一群の設問として選択するものであってもよいことは、先に説明した通りである。
【００５０】
続いて、獲得可能ポイント演算部１０３が起動されて、選択された設問にユーザが回答すると付与されるポイント数を演算するために、ポイント条件格納部１１３に格納された、当該設問への回答に対してポイントが付与される条件であるポイント条件を参照する（Ｓ０４）。図３の例であれば、設問ＩＤ「１００２」の設問が選択された場合、設問ＩＤ「１００２」の設問に関する４つのポイント条件（条件種類が「基礎」「設問回答」「属性」「購買」の４つの条件）を参照して、当該設問に回答したユーザに対してポイントが付与される各々の条件の内容を確認する。
【００５１】
参照したポイント条件の中に、選択された設問に関連する商品（設問の対象となる商品を含む）の購買に関する条件が含まれている場合は（Ｓ０５がＹｅｓ）、購買履歴格納部１１４を参照して認証されたユーザの当該商品の購買履歴を確認する（Ｓ０６）。
【００５２】
図３の例であれば、設問ＩＤ「１００２」に関するポイント条件の中に、条件種類が「購買」で条件内容が「電気かみそり」という条件が含まれているので、認証されたユーザのユーザＩＤが「００１」である場合は、購買履歴格納部１１４を参照すると、ユーザＩＤ「００１」のユーザが「電気かみそり」を購入した履歴が記録されているので、ユーザＩＤ「００１」のユーザが設問ＩＤ「１００２」の設問に回答すれば、この条件に対応して２ポイントを獲得できることになる。
【００５３】
参照したポイント条件の中に、ユーザの属性に関する条件が含まれている場合は（Ｓ０７がＹｅｓ）、ユーザ情報格納部１１１の属性情報１１１２を参照して、認証されたユーザの属性を確認する（Ｓ０８）。
【００５４】
図３の例であれば、設問ＩＤ「１００２」に関するポイント条件の中に、条件種類が「属性」で条件内容が「男性」という条件が含まれているので、認証されたユーザのユーザＩＤが「００１」である場合は、ユーザ情報格納部１１１を参照すると、属性情報１１１２としてユーザＩＤ「００１」のユーザが「男性」であることが記録されているので、ユーザＩＤ「００１」のユーザが設問ＩＤ「１００２」の設問に回答すれば、この条件に対応して２ポイントを獲得できることになる。
【００５５】
参照したポイント条件の中に、関連設問（選択された設問に関連する他の設問）への回答に関する条件が含まれている場合は（Ｓ０９がＹｅｓ）、アンケート情報格納部１１２の回答情報１１２２を参照して、認証されたユーザが過去に関連設問に回答しているか、回答している場合はその内容を確認する（Ｓ１０）。
【００５６】
図３の例であれば、設問ＩＤ「１００２」に関するポイント条件の中に、条件種類が「設問回答」で条件内容が「設問ＩＤ１００１への回答がＢ」という条件が含まれているので、認証されたユーザのユーザＩＤが「００１」である場合は、アンケート情報格納部１１２の回答情報１１２２を参照すると、ユーザＩＤ「００１」のユーザが設問ＩＤ「１００１」の設問に対して過去に「Ｃ」と回答したことが記録されているので、条件種類が「設問回答」の条件内容を満たさず、ユーザＩＤ「００１」のユーザが設問ＩＤ「１００２」の設問に回答しても、この条件に対応する２ポイントは獲得できないことになる。
【００５７】
尚、図３の例では設問ＩＤ「１００２」に関するポイント条件の中に、これらの他に、条件種類が「基礎」で条件内容が指定されず、１ポイントが付与されることとなっている。このように、ユーザの購買履歴や属性、関連設問への回答に関わらず、基礎点として設問への回答に対して一律に一定のポイントを付与することとしてもよい。
【００５８】
以上のように、図５のＳ０５−Ｓ１０でポイント条件を満たすかの確認が行われると、図６のフローチャートに進む。まず、これまでに確認したポイント条件から獲得可能と判断されたポイント数を合算して、Ｓ０２で選択された設問にＳ０１で認証されたユーザが回答した場合に獲得できる獲得可能ポイントを演算する（Ｓ１１）。
【００５９】
図３の例であれば、設問ＩＤ「１００２」に関するポイント条件から、条件種類「基礎」で全てのユーザに付与される基礎点である１ポイント、条件種類「購買」の条件内容を満たすことにより付与される２ポイント、条件種類「属性」の条件内容を満たすことにより付与される２ポイントを合計した５ポイントが（条件種類「設問回答」の条件内容は満たさないので、この条件に対応する２ポイントは付与されない）、ユーザＩＤ「００１」のユーザが設問ＩＤ「１００２」の設問に回答した場合に獲得できる獲得可能ポイントとなる。
【００６０】
このようにして、Ｓ０２で選択された設問にＳ０１で認証されたユーザが回答した場合に獲得できる獲得可能ポイントが算出されると、設問送信部１０４が起動されて、Ｓ０３で読み出した設問（設問の本文と回答の選択肢等、Ｓ０２で一群の設問を選択している場合は、一群の設問それぞれの本文と回答の選択肢等）と獲得可能ポイントに関する情報がユーザ端末２０に送信され（Ｓ１２）、ユーザ端末２０の画面にこれらの情報が表示される。
【００６１】
図７は、アンケートの設問（設問の本文と回答の選択肢等）と、ユーザが設問に回答することにより獲得できる獲得可能ポイントに関する情報が表示された、ユーザ端末２０の画面の一例を示したものである。この例のように、アンケートの設問に回答することによって得られるポイントに関する情報が設問と合わせてユーザ端末２０の画面に表示されることによって、設問に回答することでポイントを得られることがユーザに認知され、ポイントの獲得が設問に回答するインセンティブとなって、ユーザに設問への回答を促すことができる。
【００６２】
尚、アンケートの設問と獲得可能なポイントに関する情報の下に記載されている、「さらにボーナスポイントが加算されることがあります」の注記は、選択した回答によっては、後に説明する回答ポイントが加算される場合があることを指している。
【００６３】
また、図７では、アンケートの設問と獲得可能ポイントがユーザ端末２０の画面に文字情報（文字が表示される静止画の画像ファイルや、アニメーション等の動画の画像ファイルを含む）として出力される例を示したが、同様の情報がユーザ端末２０のスピーカーから音声で出力される構成としてもよい。
【００６４】
さらに、ポイント条件格納部１１３に格納されるポイント条件に、各々の設問への回答を促したいターゲットとなるユーザにより多くのポイント（有利な特典）が付与される条件を設定することによって、アンケートを実施する際に回答を欲しいユーザから効率的に情報を収集しやすい構成とすることができる。
【００６５】
例えば、図３の例では、設問ＩＤ「１００１」はシェーバーに求める機能に関する設問なので、電気かみそりの購入履歴がある男性により多くのポイント（有利な特典）が付与され、一般的なシェーバーのユーザ層からの回答を得やすい条件が設定されている。また、シェーバーの切れ味に関する設問である設問ＩＤ「１００２」では、他の設問である設問ＩＤ「１００１」でシェーバーの「切れ味」を重視すると回答したユーザにはさらにポイントを加算することとして、シェーバーのユーザ層の中でも切れ味を重視するユーザからの回答を得やすい条件が設定されている。
【００６６】
ユーザ端末２０にアンケートの設問（設問の本文と回答の選択肢等）と獲得可能ポイントに関する情報を送信した後は、ユーザ端末２０から送信された回答を受信するまで待機し（Ｓ１３）、回答受信部１０５がユーザ端末２０で選択された回答の受信を検出すると（Ｓ１３がＹｅｓ）、回答ポイント決定部１０６が起動され、ポイント条件格納部１１３を参照して、ユーザが選択した回答に応じて付与される回答ポイントが適用されるかを確認する（Ｓ１４）。回答ポイントが適用される場合は（Ｓ１４がＹｅｓ）、ユーザ端末２０から送信された回答に応じて付与される回答ポイントを決定する（Ｓ１５）。
【００６７】
図４の例であれば、設問ＩＤ「１００１」の設問に対して「Ａ」と回答したユーザには回答ポイントは適用されないが、「Ｂ」と回答したユーザには３ポイントが、「Ｃ」と回答したユーザには１ポイントが、それぞれ回答ポイントとして付与される。設問ＩＤ「１００２」の設問に対しては、回答した全てのユーザに回答ポイントが適用され、「Ａ」と回答したユーザには２ポイント、「Ｂ」と回答したユーザには３ポイントが、「Ｃ」と回答したユーザには１ポイントが、それぞれ回答ポイントとして付与される。
【００６８】
図４の例は、Ｘ社が販売する切れ味の良さを特徴とするシェーバーのマーケティング活動のために実施するアンケートを想定しているが、設問ＩＤ「１００１」の設問では、シェーバーの機能では「切れ味」を重視する「Ｂ」を選択したユーザに最も多いポイントを付与することによって、当該ユーザに対して切れ味の良さを特徴とするＸ社のシェーバーの販売を促進することを狙っている。また、Ｘ社のライバルがＹ社である場合に、ライバル企業の商品のユーザを取り込めるように、切れ味があるメーカーとしてＹ社を選択したユーザに、最も多いポイントを付与することとしている。
【００６９】
尚、回答受信部１０５が受信したユーザ端末２０で選択されたユーザの回答は、ユーザを識別するユーザＩＤや対象となる設問の設問ＩＤと関連付けて、他の設問への回答に対して付与されるポイント数の決定等にも用いることができるように、アンケート情報格納部１１２に回答情報１１２２として格納される。
【００７０】
回答ポイントが適用される場合に、設問に回答したユーザに付与される回答ポイントが決定されると（Ｓ１５）、ポイント残高更新部１０７が起動されて、Ｓ１１で演算された獲得可能ポイントのポイント数に、Ｓ１５で決定された回答ポイントのポイント数を加算して、Ｓ０２で選択された設問に回答したＳ０１で認証されたユーザに付与するポイント数の合計額を算出する。そして、ユーザ情報格納部１１１に格納されている当該ユーザが保有するポイント残高１１１３を、算出したポイント数を加算して更新する（Ｓ１６）。
【００７１】
続いて、ポイント残高送信部１０８が起動されて、今回の設問への回答によって加算されたポイント数（獲得可能ポイントと回答ポイントの合計ポイント数）と、ユーザの保有する加算後のポイント残高に関する情報が、ユーザが保有するポイント残高に応じて変化するキャラクターの画像と合わせてユーザ端末２０に送信され（Ｓ１７）、ユーザ端末２０の画面にはこれらの情報が表示される。
【００７２】
図８は、これらのポイント残高等とキャラクターが表示された、ユーザ端末２０の画面の例を示したものであるが、ポイント残高が増加するに従って、表示されるキャラクターが成長していくこととしている。アンケートに数多く答えるほどキャラクターが成長する可能性が高まるので、娯楽性を高めながら、ユーザのアンケートへの回答を促進する効果も期待することができる。
【００７３】
以上に説明した設問の選択と送信、回答の受信とポイント残高の更新が、アンケート情報格納部１１２に格納された、対象となるアンケートに含まれる全ての設問への回答が終了するまで（Ｓ１８がＹｅｓ）、あるいは、ユーザが設問に回答せず処理が中断されるまで（Ｓ１３がＮｏ）継続される。
【００７４】
尚、Ｓ１６のポイント残高の更新とＳ１７のポイント残高等に関する情報のユーザ端末２０への送信は、図６のフローチャートに示したように一つの設問が終了する毎に行うこととしてもよいが、一定数の設問への回答分をまとめて、あるいは、全てのアンケートへの回答が終了した段階（Ｓ１８がＹｅｓ）や回答が受け付けられず処理が中断される前の段階（Ｓ１３がＮｏ）、さらには、例えば１週間又は１ヶ月といった期間内の獲得ポイントを週次又は月次等の所定のタイミングで集計して、ポイント残高を更新してポイント残高等に関する情報をユーザ端末２０に送信することとしてもよい。
【００７５】
図９−図１２は、本発明においてユーザの獲得可能ポイントの演算に用いられるポイント条件の例を示しているが、各々の例の設問に対して、どのようなユーザ層に回答を促すことを狙ってポイント条件が設定されているか、順に説明する。
【００７６】
図９は、ある洗剤メーカーが新ブランド（ＸＸ除菌）を立ち上げてから一定期間が経過した後に、商品への要望や不満などの声を集めたいが、商品の購入者からの回答を優先的に集めたいという目的で設定される、ポイント条件の例を示している。この例では、「９月に発売されたＸＸ除菌を使った感想を教えてください」という設問に対して、基礎点として１ポイントが付与される他に、設問の対象となる商品であるＸＸ除菌の購買履歴があるユーザからの回答に対しては、３ポイントが加算されるポイント条件が設定されている。
【００７７】
こうしたポイント条件によって、対象商品の購買履歴から、ＸＸ除菌の購入者と判断されるユーザの回答を集めやすいアンケートの実施が可能になる。
【００７８】
図１０は、ハウスメーカーがファミリー向けの住宅物件の購入意思があるユーザの意見を収集したいという目的で設定される、ポイント条件の例を示している。この例では、ファミリータイプの住宅の画像を示した「何年以内に家を購入したいですか？」という設問に対して、基礎点として１ポイントが付与される他に、「自宅は持ち家か？」という設問に対して過去に「いいえ」と回答したユーザからの回答に対しては２ポイント、「年収は？」という設問に対して過去に６００万円以上と回答したユーザからの回答に対しては３ポイント、「家族構成は？」という設問に対して過去に「子供あり」と回答したユーザからの回答に対しては２ポイントがそれぞれ加算されるポイント条件が設定されている。
【００７９】
こうしたポイント条件によって、過去の他の設問に対する回答から、ファミリー向けの住宅物件を購入する可能性が高いと判断されるユーザからの回答を集めやすいアンケートの実施が可能になる。
【００８０】
この例が示しているように（以下の例も同様）、特に重視する項目（設問とそれに対する回答）にはより多くのポイントを設定することによって、その項目に該当する可能性の高いユーザからの回答を優先的に促すことができる。また、ポイント条件には、複数の設問への回答に関するポイント条件を組み合わせて、設問に回答したユーザに付与するポイントが演算される設定とすることが可能であるし、図１０には示ししていないが、例えば、全てのポイント条件に該当するユーザに対しては、さらにボーナスポイント（例えば１０ポイント）を加算する設定とすることも可能である。
【００８１】
図１１は、チョコレートメーカーがバレンタインデーに向けて購買意識を調査する際に、実際に贈り物用にチョコレートを購入する可能性が高いユーザの意見を収集したいという目的で設定される、ポイント条件の例を示している。この例では、「今年のバレンタインデーでチョコをあげたい人は何人いますか？」という設問に対して、基礎点として１ポイントが付与される他に、性別（属性）が女性のユーザからの回答に対しては２ポイント、年齢（属性）が１５−４０歳のユーザからの回答に対しては２ポイント、「去年チョコをあげたか？」という設問に対して過去に「あげた」と回答したユーザからの回答に対しては３ポイントがそれぞれ加算されるポイント条件が設定されている。
【００８２】
こうしたポイント条件によって、ユーザの属性と過去の他の設問に対する回答から、バレンタインデーの贈り物にチョコレートを購入する可能性が高いと判断されるユーザからの回答を集めやすいアンケートの実施が可能になる。
【００８３】
この例が示しているように、ポイント条件には、属性と設問回答など条件種類が異なる複数の条件を組み合わせて、設問に回答したユーザに付与するポイントが演算される設定とすることも可能である。
【００８４】
図１２は、男性用カミソリメーカーが自社のブランドの切れ味に関する消費者認知のイメージ調査する際に、実際にカミソリを購入して使用しており、切れ味を重視するユーザからの情報を収集したいという目的で設定される、ポイント条件の例を示している。この例では、「切れ味が最も良いシェーバーといえばどのブランドを思い浮かべますか？」という設問に対して、基礎点として１ポイントが付与される他に、性別（属性）が男性のユーザからの回答に対しては２ポイント、設問の対象となる商品に関連するカミソリカテゴリーの商品について１年以内の購買履歴があるユーザからの回答に対しては３ポイント、「シェーバーで重視するポイントは？」という設問に対して過去に「切れ味」と回答したユーザからの回答に対しては２ポイントがそれぞれ加算されるポイント条件が設定されている。
【００８５】
こうしたポイント条件によって、ユーザの属性と対象商品の購買履歴、過去の他の設問に対する回答から、実際にカミソリを購入して使用しており、切れ味を重視すると判断されるユーザからの回答を集めやすいアンケートの実施が可能になる。
【００８６】
この例が示しているように、ポイント条件には、属性と購買履歴、設問回答といった条件種類が異なる３種類以上の条件を組み合わせて、設問に回答したユーザに付与するポイントが演算される設定とすることも可能である。
【符号の説明】
【００８７】
１０      アンケート管理サーバ
１０１    ユーザ認証部
１０２    設問選択部
１０３    獲得可能ポイント演算部
１０４    設問送信部
１０５    回答受信部
１０６    回答ポイント決定部
１０７    ポイント残高更新部
１０８    ポイント残高送信部
１１１    ユーザ情報格納部
１１１１  認証情報
１１１２  属性情報
１１１３  ポイント残高
１１２    アンケート情報格納部
１１２１  設問情報
１１２２  回答情報
１１３    ポイント条件格納部
１１４    購買履歴格納部
２０      ユーザ端末
【図１】
0006896249.tif 000002
【図２】
0006896249.tif 000003
【図３】
0006896249.tif 000004
【図４】
0006896249.tif 000005
【図５】
0006896249.tif 000006
【図６】
0006896249.tif 000007
【図７】
0006896249.tif 000008
【図８】
0006896249.tif 000009
【図９】
0006896249.tif 000010
【図１０】
0006896249.tif 000011
【図１１】
0006896249.tif 000012
【図１２】
0006896249.tif 000013